(57)【要約】      （修正有）【課題】  汎用性に優れ、コストアップを抑制でき、アピール度が極めて高い、広告表示が可能な情報記録媒体収納器を提供する。【解決手段】  容器本体（１）に記録媒体（Ｄ）を取り出し自由に収納可能とし、この容器本体（１）は箱状であって、その内部に記録媒体を収納する収納部（６）と画像情報を記憶する記憶部（１３）と画像情報を表示する画面を有する画像表示部（３）とこの画像表示部に対して記憶部に記憶された画像情報を表示するよう指示する制御部（１４）とを備え、容器本体の最大の面及びこの最大の面に連接する面の少なくとも一方を表示面とし、この表示面に対向して画像表示部を配置すると共に、表示面に画像表示部の画面が外部から視認できる窓部を形成した。【選択図】図３
2007015711.tif 000002
【特許請求の範囲】
【請求項１】
容器本体に記録媒体を取り出し自由に収納可能とした記録媒体収納容器において、
前記容器本体は箱状であって、その内部に、前記記録媒体を収納する収納部と、画像情報を記憶する記憶部と、前記画像情報を表示する画面を有する画像表示部と、この画像表示部に対して前記記憶部に記憶された画像情報を表示するよう指示する制御部とを備え、
前記容器本体の最大の面及びこの最大の面に連接する面の少なくとも一方の面を表示面とし、この表示面に対向して前記画像表示部を配置すると共に、前記表示面に前記画像表示部の前記画面が外部から視認できる窓部を形成して成ることを特徴とする記録媒体収納容器。
【発明の詳細な説明】
【技術分野】
【０００１】
本発明は、記録媒体収納容器に係り、特に、記録媒体を出し入れ可能にすると共に画像情報を表示する表示部を具備してなる記録媒体収納容器に関する。
【背景技術】
【０００２】
従来、ＶＨＳ（登録商標）等のビデオカセット、あるいは、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）等のディスクは、これらを収納する記録媒体収納容器に収納され、商品として店頭等で陳列・販売されている。
これらの収納容器は、収納した記録媒体に記録された内容に関連する情報を表示する紙等（情報表示手段）を、不透明材料を用いた場合にはその表面に、また、透明材料を用いた場合にはその容器の内部に収めて外部から視認できるように、備えている。
これらの情報表示手段により、来店者はその商品の内容を把握することができるので、この情報表示手段は、その商品を購入するか否かの判断のよりどころとされる。
【０００３】
従って、情報表示手段の内容や、その表示方法は、商品の販売量に大きく影響するものであり、より効果的に商品内容を消費者にアピールする必要がある。
そのアピール度を向上させることを目的として、収納ケースに、複数の画像を連続的に変化させて一連の動画として表示可能な画像表示部と、この画像表示部材を収納する部材ホルダとを設けた物品装飾収納容器が特許文献１に記載されている。
【特許文献１】特開２００１−８０６９１号公報
【発明の開示】
【発明が解決しようとする課題】
【０００４】
ところで、特許文献１に記載された物品装飾収納容器の画像表示部は、レンチキュラー板を備え、複数の画像が、見る位置に応じて３次元的に視認できる表示部材であって視認者の移動に伴い略動画的に立体画像を視認できるものとして開示されている。
複数の画像の画像表示部への固定方法は開示されていないが、少なくとも、一つの画像表示部には特定の画像が固定され、この表示内容を変更する場合には画像表示部毎に交換を実施する必要があることが把握される。
【０００５】
すなわち、収納する記録媒体に記録された内容に応じて、画像表示部をそれぞれ用意する必要があり、記録媒体を交換した場合や、表示させる内容を更新したい場合には、新たに画像表示部を作成しなければならない。従って、汎用性に乏しく、高コストになる、という問題がある。
また、表示が自ら光るものではないので、外部照明が必ず必要となり、設置場所が限定される。また、来店者にこの物品装飾収納容器自体を気付かせる効果は少なく、更なるアピール度の向上が望まれるものであった。
【０００６】
そこで、本発明が解決しようとする課題は、汎用性に優れ、コストアップを抑制でき、アピール度が極めて高い、広告表示が可能な情報記録媒体収納器を提供することにある。
【課題を解決するための手段】
【０００７】
上記の課題を解決するために、本願発明は手段として次の構成を有する。
即ち、容器本体（１）に記録媒体（Ｄ）を取り出し自由に収納可能とした記録媒体収納容器において、
前記容器本体（１）は箱状であって、その内部に、前記記録媒体（Ｄ）を収納する収納部（６）と、画像情報（１１）を記憶する記憶部（１３）と、前記画像情報（１１）を表示する画面（３ａ）を有する画像表示部（３）と、この画像表示部（３）に対して前記記憶部（１３）に記憶された画像情報（１１）を表示するよう指示する制御部（１４）とを備え、前記容器本体（１）の最大の面（１ｃ）及びこの最大の面に連接する面（１ｄ）の少なくとも一方の面を表示面とし、この表示面に対向して前記画像表示部（３）を配置すると共に、前記表示面に前記画像表示部（３）の前記画面（３ａ）が外部から視認できる窓部（２ａ）を形成して成ることを特徴とする記録媒体収納容器（５０）である。
【発明の効果】
【０００８】
本発明によれば、汎用性に優れ、コストアップを抑制でき、極めて高いアピール度が得られるという効果を奏する。
【発明を実施するための最良の形態】
【０００９】
本発明の実施の形態を、好ましい実施例により図１〜図５を用いて説明する。
図１は、本発明の記録媒体収納容器の実施例を示す外観斜視部である。
図２は、本発明の記録媒体収納容器の実施例を説明する組み立て図である。
図３は、本発明の記録媒体収納容器の実施例における内部構造を説明する図である。
図４は、本発明の記録媒体収納容器の実施例を示すブロック図である。
図５は、本発明の記録媒体収納容器の実施例における変形例を示す外観斜視図である。
【００１０】
この実施例における記録媒体収納容器は、ＣＤやＤＶＤを収納するディスク用収納容器であり、縦横の寸法が周知の一般的ディスクケースと同じ箱状に形成されている。
厚さについても、通常のシングルジャケットサイズあるいはダブルジャケットサイズと共通に形成される。
【００１１】
図１は、その外観斜視図であり、この記録媒体収納容器は、ケース１として、その本体１Ａと、この本体１Ａに対して回動軸Ｐ周りの矢印方向に回動して開閉する蓋体１Ｂとを有している。
この本体１Ａ及び蓋体１Ｂは、樹脂材料を射出成形して形成されており、少なくとも蓋体１Ｂの表面部１Ｂ１は透明に形成され内部を視認できるようにされている。
この表面部１Ｂ１からは、蓋体１Ｂの内部（裏側）に収められた情報表示シート２と、その情報表示シート２に形成された窓部２ａからケース１の内部に配設された画像表示素子３の画像１１を視認することができる。以下、この画像１１を第１の広告情報１１とも称する。
情報表示シート２には、商品の内容に応じてデザインされた図柄，絵，写真あるいは文字等の第２の広告情報１２が印刷されている。
当図において、窓部２ａは表面部１ａのほぼ中央に設けられているが、これに限るものではなく、第１の広告情報１２のデザインに応じて任意の場所と大きさに設けることができる。また、その数も１つに限定されることなく複数でもよい。
【００１２】
図２に、この情報記録媒体収納容器の概略組み立て図と示し、図３にその組み立て後の状態を示し、両図を用いて内部構造を説明する。
理解容易のため、本体１Ａと蓋体１Ｂとを分離し、それぞれ平板状に示している。
図２の右側である本体１Ａは、そのほぼ中央に設けられたディスククランプ部４と、そのディスククランプ部４と同芯に形成された凹部５とにより成るディスク収納部６を備えている。
この凹部５の形状は、収納するディスクＤの外形形状に対応している。また、非接触やコードを介して電力を受電できる受電部７が設けられている。
【００１３】
図２の左側である蓋部１Ｂには、画像表示部３，情報表示シート２，回路基板８，スピーカ９及びバッテリ１０が取り付けられている。
操作部１６は、回路基板８に対してワイヤにより接続され、ケース１の端部等に設けられる。
画像表示部３は、上述したように、情報表示シート２に形成された窓部２ａから画面が臨めるように取り付けられる。この窓部２ａは、ケース１の最大の面１ｃに形成されている。
バッテリ１０は、上述した非接触又は接続式の受電部７を備えた場合には、省略してもよい。
回路基板８には、メモリ１３とＣＰＵ１４が搭載されている。
メモリ１３には、予め画像表示部３で表示する画像情報等が記録されている。
ＣＰＵ１４は、この画像表示部３の表示等の動作全体を制御する。
【００１４】
次に、実施例の記録媒体収納容器５０における画像表示について図４を用いて説明する。
画像表示部３に表示させる画像情報は、動画や静止画であり、予めメモリ１３に記憶させておく。また、通信部１５を介して、外部の機器１８から得ることもできる。外部から得る場合、リアルタイムに表示させてもよく、一端メモリ１３に記憶させてもよい。
いずれにおいても、操作部１６に対する操作に応じて制御部１４が動作を制御する。
【００１５】
表示する画像情報は、この収納容器５０に収納した記録媒体に記録された内容により関連したものであることが望ましい。これにより、商品の購買意欲を高め、効率よい宣伝ができ、販売実績を高めることができる。
画像表示部３は、有機ＥＬ素子が好適である。これは自発光であると共に視野角が極めて広く、高精細であることによる。この特徴により、高いアピール度で来店者へ広告を伝達することができる。
液晶表示素子と用いた場合は、発光手段を備える。
【００１６】
受電部７は、設置場所が特定されず高い汎用性が得られることから電磁誘導で受電できるのが好ましい。もちろん、ＡＣアダプタを用いて有線で受電するものでもよい。
受電部７を備えた場合は、バッテリ１０を省略することもできるが、電源設備のない設置場所での使用が可能となることから、搭載することが望ましい。
【００１７】
メモリ１３は内蔵したあるいは着脱可能とした固体メモリを用いることができる。外部との通信手段は限定されない。無線あるいは有線で通信が行われる。
【００１８】
上述した画像情報に加えて音声情報を扱ってもよい。メモリ１３に記憶された、あるいは、外部機器から供給された音声情報は制御部の制御により音声出力部９から音として放射される。
【００１９】
形態についてさらに説明するならば、上述したように、この記録媒体収納容器５０は、外径が１２ｃｍのＣＤ等のディスクを収める通常のディスクケースと同じ外形サイズを有している。
従って、画像表示機能のない一般のＣＤやＤＶＤと同じ棚に同様に展示することができる。また、同じ梱包箱で梱包が可能であり、扱いが極めて良好である。
【００２０】
第１の広告情報１１と第２の広告情報１２とは、密接に関連づけるとよい。具体的には、第１の広告情報１１を、第２の広告情報１２の絵柄を補完するものにしたり、第２の広告情報１２に印刷された文章の一部を表示させるものとすることができる。
また、第２の広告情報１２に複数の選択肢マークを印刷表示させておき、第１の広告情報１１に、どの選択肢マークを選択しているかを示す選択マークを表示させ、その選択肢マークに対応した情報をさらに表示したり音声で案内させるという関連付けも可能である。
【００２１】
上述した構成の記録媒体収納容器によれば、収納した記録媒体を交換しても、部材を何ら交換等することなく表示内容を外部から差し換えたり更新したりすることが容易に行えるので、汎用性が高い。
また、有機ＥＬ素子等の高精細な表示素子を利用することができ、また、簡易的ではない動画が表示できるので、画像が精緻で、伝達できる情報量も極めて多い。
さらに、画像表示部３が自発光するので、被視認性に優れ、アピール度が極めて高い。
【００２２】
本発明の実施例は、上述した構成及び手順に限定されるものではなく、本発明の要旨を逸脱しない範囲において変形例としてもよいのは言うまでもない。
図５に示すように、画像表示部３Ａを、細長形状としてケース１の最大の面１ｃに連接する面である側面１ｄに配置してもよい。もちろん、図５の下側の側面である背となる面１ｅや他の側面に配置してもよい。
これにより、商品陳列棚においてよく行われている、背の部分が視認できるようにそれを手前にして整列陳列する場合においても、画像表示部を持たない通常の商品に対して画像で内容等を表示できるので情報量が多く、また画面が発光するので極めて被視認性が高く、大変優れた宣伝効果を得ることができる。
【００２３】
また、厚さをダブルジャケット相当とし、ディスク駆動部と光ピックアップ等を備えたディスク再生装置を内蔵してもよい。
この構成にすることで、収納したディスクそのものに記録されている画像や音声情報を画像表示部や音声出力部から送出することができ、より直接的に宣伝を行うことができて宣伝効果に優れる。
【００２４】
画像の表示方法は限定されるものではない。動画や静止画の通常の表示のみにとどまらず、文字等をスクロールさせたり、移動させたり、単なる輝度変化（点滅の繰り返し等）あるいは色変化でアピールする方法にしてもよい。
【００２５】
上述した実施例は、記録媒体がディスクの場合の例を示したが、テープの場合についても同様の技術思想で構成することができるのは言うまでもない。
【図面の簡単な説明】
【００２６】
【図１】本発明の記録媒体収納容器の実施例を示す外観斜視部である。
【図２】本発明の記録媒体収納容器の実施例を説明する組み立て図である。
【図３】本発明の記録媒体収納容器の実施例における内部構造を説明する図である。
【図４】本発明の記録媒体収納容器の実施例を示すブロック図である。
【図５】本発明の記録媒体収納容器の実施例における変形例を示す外観斜視図である。
【符号の説明】
【００２７】
１  ケース
１Ａ  （ケース）本体
１Ｂ  （ケース）蓋体
１ｃ  最大の面
１ｄ  （最大の面に）連接する面
２  情報表示シート２
２ａ  窓部
３  画像表示素子
３ａ  画面
４  ディスククランプ部
５  凹部
６  ディスク収納部
７  受電部
８  回路基板
９  スピーカ
１０  バッテリ
１１  画像（第１の広告情報）
１２  第２の広告情報
１３  メモリ
１４  ＣＰＵ（制御部）
１５  通信部
１６  操作部
１７  電圧変換部
１８  外部機器
５０  記録媒体収納容器
Ｐ  回動軸
Ｄ  記録媒体
【図１】
2007015711.tif 000003
【図２】
2007015711.tif 000004
【図３】
2007015711.tif 000005
【図４】
2007015711.tif 000006
【図５】
2007015711.tif 000007